(57)【要約】      （修正有）【課題】  本発明は、現代人のストレス及び不眠症解消の為、その人が快適と感じる脳波（生物の生体リズムに合致した脳波）を外部刺激に変換し、付与することによって短時間で入眠することができ且つ深い睡眠が得ることができるように誘導する方法および装置に関するものである。【解決手段】  ストレスを緩和し、心身に安らぎを与えスムースに睡眠を得るため、生物がリラックスしていると感じる際に発生する脳波を人工的に発生させ、生物の睡眠前、あるいは入眠時の脳波に外部の刺激として同調あるいは変換し生物に対しその刺激が与えられる手段が備えられていることを特徴とする睡眠誘導まくら。【選択図】なし【特許請求の範囲】
【請求項１】
ストレスを緩和し、心身に安らぎを与えスムースに睡眠を得るため、生物がリラックスしていると感じる際に発生する脳波を人工的に発生させ、生物の睡眠前、あるいは入眠時の脳波に外部の刺激として同調あるいは変換させ生物に対しその刺激が与えられる手段が備えられていることを特徴とする睡眠誘導まくら。
【請求項２】
ストレスを緩和し、心身に安らぎを与えスムースに睡眠を得るため、生物がリラックスしていると感じる際に発生する脳波を人工的に発生させ、生物の睡眠前、あるいは入眠時の脳波に電気的刺激として同調あるいは変換させ生物に対しその刺激が与えられる手段が備えられていることを特徴とする睡眠誘導まくら。
【請求項３】
ストレスを緩和し、心身に安らぎを与えスムースに睡眠を得るため、生物がリラックスしていると感じる際に発生する脳波を人工的に発生させ、生物の睡眠前、あるいは入眠時の脳波に音波による外部刺激として同調あるいは変換させ生物に対しその刺激が与えられる手段が備えられていることを特徴とする睡眠誘導まくら。
【請求項４】
ストレスを緩和し、心身に安らぎを与えスムースに睡眠を得るため、生物がリラックスしていると感じる際に発生する脳波を人工的に発生させ、生物の睡眠前、あるいは入眠時の脳波に物理的刺激（機械的振動など）を外部刺激として同調あるいは変換させ生物に対しその刺激が与えられる手段が備えられていることを特徴とする睡眠誘導まくら。
【請求項５】
ストレスを緩和し、心身に安らぎを与えスムースに睡眠を得るため、リラックスしていると感じている時、睡眠前、あるいは入眠時の脳波を測定しそれらを記憶する脳波記憶手段及び脳波記憶装置が備えられ、その生物の脳波に対応する電気信号を発生させる対脳波信号発生手段と、脳波信号発生装置によって発生された信号を当該生物に対し、外部刺激に変換させる手段が備えられていることを特徴とする睡眠誘導まくら。
【請求項６】
ストレスを緩和し、心身に安らぎを与えスムースに睡眠を得るため、リラックスしていると感じている時、睡眠前、あるいは入眠時の脳波を測定しそれらを記憶する脳波記憶手段及び脳波記憶装置が備えられ、その生物の脳波に対応する電気信号を発生させる対脳波信号発生手段と、脳波信号発生装置によって発生された信号を電気的刺激をもって当該生物に付与する装置が備えられている睡眠誘導まくら。
【請求項７】
ストレスを緩和し、心身に安らぎを与えスムースに睡眠を得るため、リラックスしていると感じている時、睡眠前、あるいは入眠時の脳波を測定しそれらを記憶する脳波記憶手段及び脳波記憶装置が備えられ、その生物の脳波に対応する電気信号を発生させる対脳波信号発生手段と、脳波信号発生装置によって発生された信号を音波による刺激を持って当該生物に付与する装置が備えられている睡眠誘導まくら。
【請求項８】
ストレスを緩和し、心身に安らぎを与えスムースに睡眠を得るため、リラックスしていると感じている時、睡眠前、あるいは入眠時の脳波を測定しそれらを記憶する脳波記憶手段及び脳波記憶装置が備えられ、その生物の脳波に対応する電気信号を発生させる対脳波信号発生手段と、脳波信号発生装置によって発生された信号を物理的刺激（機械的振動など）を持って当該生物に付与する装置が備えられている睡眠誘導まくら。
【請求項９】
ストレスを緩和し、心身に安らぎを与えスムースに睡眠を得るため、生物がリラックスしていると感じる際に発生する脳波を人工的に発生させ、生物の睡眠前、あるいは入眠時の当該生物に対し、外部刺激として同調あるいは変換させ生物に対しその刺激が与えられる手段が備えられていることを特徴とする睡眠誘導まくら。
【請求項１０】
ストレスを緩和し、心身に安らぎを与えスムースに睡眠を得るため、生物がリラックスしていると感じる際に発生する脳波を人工的に発生させ、生物の睡眠前、あるいは入眠時の当該生物に対し、電気的刺激として同調あるいは変換させ生物に対しその刺激が与えられる手段が備えられていることを特徴とする睡眠誘導まくら。
【請求項１１】
ストレスを緩和し、心身に安らぎを与えスムースに睡眠を得るため、生物がリラックスしていると感じる際に発生する脳波を人工的に発生させ、生物の睡眠前、あるいは入眠時の当該生物に対し、音波による外部刺激として同調あるいは変換させ生物に対しその刺激が与えられる手段が備えられていることを特徴とする睡眠誘導まくら。
【請求項１２】
ストレスを緩和し、心身に安らぎを与えスムースに睡眠を得るため、生物がリラックスしていると感じる際に発生する脳波を人工的に発生させ、生物の睡眠前、あるいは入眠時の当該生物に対し、物理的刺激（機械的振動）を外部刺激として同調あるいは変換させ生物に対しその刺激が与えられる手段が備えられていることを特徴とする睡眠誘導まくら。
【発明の詳細な説明】
【発明の詳細な説明】
【０００１】  本発明は、現代人のストレス及び不眠症解消の為、その人が快適と感じる脳波（生物の生体リズムに合致した脳波）を外部刺激に変換し、付与することによって短時間で入眠することができ且つ深い睡眠が得ることができるように誘導する方法および装置に関するものである。
【背景技術】
【０００２】  私たちの生活は、便利さを追求するあまり効率性ばかりを求められ、その効率性即ち画一的なことが、人間の生来的な性質と異なっており、心身のバランスや快適性を失った現代人のストレスの原因となっている。【０００３】  人間も自然の一部であり、人も自然もゆらぎのリズムを持って生存している。自然の持つリズムが高度化された現代社会の中では埋没してしまっており、ゆらぎを許容しない社会がストレスの根幹であることを示唆している。【０００４】  従来、睡眠導入時に人体へ付与される刺激を、１／ｆゆらぎを基本として決定することは種々提案されている。
【発明が解決しようとする課題】
【０００５】  特許文献に記載の従来の技術では、１／ｆゆらぎを利用したリラックス装置、マッサージ機器などであり、まくらを限定したものではない。またこれらは視覚、触覚、聴覚、振動などを基調とする外部刺激を設定し、被睡眠誘導者に付与するものであるため、基本的に当該外部刺激はその提供者が設定するいわゆる既製の刺激である。
【０００６】  入眠装置としてのまくらは、昨今非常に注目されているツールである。しかも被睡眠誘導者には個人差があり、必ずしも上記１／ｆゆらぎなどの既製の刺激によって睡眠導入がスムーズにいくとは限らないと考えられる。そこで、本発明では、この刺激のカスタマイズ化を図り、睡眠導入装置としてまくらに限定し各個人に合致した刺激を与えようとするものである。
【課題を解決するための手段】
【０００６】  第１の発明は、生物がリラックスしていると感じる際に発生する脳波を人工的に発生させ、生物の睡眠前、あるいは入眠時の脳波に外部の刺激として同調あるいは変換させ生物に対しその刺激が与えられる手段が備えられている睡眠誘導まくらである。
【０００７】  当該発明における生物とは、当然に人間をも含むものであり、その他哺乳類、鳥類、爬虫類、両生類、魚類、無脊椎動物、昆虫などが含まれる。
【０００８】  リラックスを感じる刺激は主観的なものであり個人差があるため、本発明では外部刺激のカスタマイズ化が実行されることになる。
【０００９】  第２の発明は、生物がリラックスしていると感じる際に発生する脳波を人工的に発生させ、生物の睡眠前、あるいは入眠時の脳波に電気的刺激として同調あるいは変換させ生物に対しその刺激が与えられる手段が備えられている睡眠誘導まくらである。
【００１０】  第３の発明は、生物がリラックスしていると感じる際に発生する脳波を人工的に発生させ、生物の睡眠前、あるいは入眠時の脳波に音波による刺激として同調あるいは変換させ生物に対しその刺激が与えられる手段が備えられている睡眠誘導まくらである。
【００１１】  第４の発明は、生物がリラックスしていると感じる際に発生する脳波を人工的に発生させ、生物の睡眠前、あるいは入眠時の脳波に物理的刺激（機械的振動など）を外部刺激として同調あるいは変換させ生物に対しその刺激が与えられる手段が備えられている睡眠誘導まくらである。
【００１２】  第５の発明は、生物がリラックスしていると感じている時、睡眠前、あるいは入眠時の脳波を測定しそれらを記憶する脳波記憶手段及び脳波記憶装置が備えられ、その生物の脳波に対応する電気信号を発生させる対脳波信号発生手段と、脳波信号発生手段によって発生された電気信号を当該生物に対する外部刺激に変換させる変換手段が備えられている睡眠誘導まくらである。
【００１３】  第６の発明は、生物がリラックスしていると感じている時、睡眠前、あるいは入眠時の脳波を測定しそれらを記憶する脳波記憶手段及び脳波記憶装置が備えられ、その生物の脳波に対応する電気信号を発生させる対脳波信号発生手段と、脳波信号発生手段によって発生された電気信号を当該生物に対する電気的刺激に変換させる変換手段が備えられている睡眠誘導まくらである。
【００１４】  本発明では、脳波信号発生手段によって発生された電気信号を電気的刺激に変換するための電極などが、備え付けられており、快適な電気的刺激を受けながら入眠することができるようになる。
【００１５】    第７の発明は、生物がリラックスしていると感じている時、睡眠前、あるいは入眠時の脳波を測定しそれらを記憶する脳波記憶手段及び脳波記憶装置が備えられ、その生物の脳波に対応する電気信号を発生させる対脳波信号発生手段と、脳波信号発生手段によって発生された電気信号を当該生物に対する音波による刺激に変換させる変換手段が備えられている睡眠誘導まくらである。
【００１６】本発明では、脳波信号発生手段によって発生された電気信号を音刺激に変換するためのアンプ増幅装置及びスピーカなどが、備え付けられており、快適な音刺激を受けながら入眠することができるようになる。
【００１７】  第８の発明は、生物がリラックスしていると感じている時、睡眠前、あるいは入眠時の脳波を測定しそれらを記憶する脳波記憶手段及び脳波記憶装置が備えられ、その生物の脳波に対応する電気信号を発生させる対脳波信号発生手段と、脳波信号発生手段によって発生された電気信号を当該生物に対する物理的刺激に変換させる変換手段が備えられている睡眠誘導まくらである。
【００１８】  本発明では、脳波信号発生手段によって発生された電気信号を物理的刺激に変換するため機械的振動装置などが、備え付けられており、快適なマッサージ的刺激を受けながら入眠することができるようになる。
【００１９】  第９の発明は、生物がリラックスしていると感じる際に発生する脳波を人工的に発生させ、生物の睡眠前、あるいは入眠時の当該生物に対し、外部的刺激として同調あるいは変換させ生物に対しその刺激が与えられる手段が備えられている睡眠誘導まくらである。
【００２０】  第１０の発明は、生物がリラックスしていると感じる際に発生する脳波を人工的に発生させ、生物の睡眠前、あるいは入眠時の当該生物に対し、電気的刺激として同調あるいは変換させ生物に対しその刺激が与えられる手段が備えられている睡眠誘導まくらである。
【００２１】  第１１の発明は、生物がリラックスしていると感じる際に発生する脳波を人工的に発生させ、生物の睡眠前、あるいは入眠時の当該生物に対し、音波による刺激として同調あるいは変換させ生物に対しその刺激が与えられる手段が備えられている睡眠誘導まくらである。
【００２２】  第１２の発明は、生物がリラックスしていると感じる際に発生する脳波を人工的に発生させ、生物の睡眠前、あるいは入眠時の当該生物に対し、物理的刺激（機械的振動など）として同調あるいは変換させ生物に対しその刺激が与えられる手段が備えられている睡眠誘導まくらである。
【発明を実施するための最良の形態】
【００２３】  図１は本発明を実現するための快適睡眠誘導まくらの斜視図、図２は本発明の実施例における構成の概要を示す説明図である。【００２４】  図１は、本発明の実施の形態におけるまくら５の一例を示している。一例のまくらは、外観及び形状及び中味の材質６は、ウレタンフォーム、わた（素材は綿、ポリエステル、シルク、ウール、キャメル、麻他天然及び化合繊製のもの）、そばがら、豆類、茶葉、木片チップ、プラスティック製チップ、石類、水、ジェル、空気など多岐にわたるものである。【００２５】  これら通常使用されるまくら５の内部に信号発生装置２、変換装置３、刺激発生装置４が内蔵されこれらをコントロールする制御部１が外部に備え付けられているものである。
2005342468.tif 000002
2005342468.tif 000003